(57)【要約】【課題】石綿スレート板の取り外し時の発塵を抑え、安全で効率的に作業を行うことができる安価な石綿スレート板除去装置及び石綿スレート板除去方法を提供する。【解決手段】建築物の外装材や、屋根材として屋根本体に固定された石綿スレート板１２を取り外す時に発生する粉塵をフィルターを介して除塵できる吸塵機１３で吸塵しながら、石綿スレート板１２を固定している留め具１１を取り外し、屋根本体から石綿スレート板１２を剥離する石綿スレート板除去装置１０であって、吸塵機１３から延設される吸引ホース１７の先端部に取り付けられ、留め具１１が略中央部になるようにして椀型開口周縁部を石綿スレート板１２表面に当接できるフード１６を有し、フード１６の前方部に取り外し具１９を挿入させて留め具１１を取り外すための切り欠き部２０からなる吸込み口２１を有する。【選択図】図１
2008255784.tif 000002
【特許請求の範囲】
【請求項１】
建築物の外装材や、屋根材として屋根本体に固定された石綿スレート板を取り外す時に発生する粉塵を吸塵機で吸塵しながら、前記石綿スレート板を固定している留め具を取り外し、前記屋根本体から前記石綿スレート板を剥離する石綿スレート板除去装置であって、
前記吸塵機から延設される吸引ホースの先端部に取り付けられ、前記留め具が略中央部になるようにして開口周縁部を前記石綿スレート板表面に当接できるフードを有し、該フードに取り外し具を挿入させて前記留め具を取り外すための吸込み口を有することを特徴とする石綿スレート板除去装置。
【請求項２】
請求項１記載の石綿スレート板除去装置において、前記フードが透明板からなることを特徴とする石綿スレート板除去装置。
【請求項３】
請求項１又は２記載の石綿スレート板除去装置において、前記フード内で前記吸引ホースの先端部が前記留め具の近傍まで挿通自在とされることを特徴とする石綿スレート板除去装置。
【請求項４】
建築物の外装材や、屋根材として屋根本体に固定されている石綿スレート板を固定している留め具の取り外し時に発生する粉塵を吸塵機で吸引しながら取り外すと共に、前記石綿スレート板と前記屋根本体の間の粉塵を前記吸塵機で吸引しながら前記石綿スレート板を前記屋根本体から剥離する石綿スレート板除去方法であって、
前記吸塵機を屋根の上より隔離して設置すると共に、前記吸塵機より延設する吸引ホースの先端部に取り付けられたフードの開口周縁部を前記留め具が略中央部になるようにして前記石綿スレート板表面に当接し、前記吸塵機を作動させながら前記フードに設ける吸込み口に取り外し具を挿入させて前記留め具を取り外す工程と、
前記吸塵機を作動させながら前記フードの開口周縁部を隣接する前記石綿スレート板間に当接して前記石綿スレート板と前記屋根本体の間の粉塵を吸引して前記屋根本体から前記石綿スレート板を剥離する工程を有することを特徴とする石綿スレート板除去方法。
【請求項５】
請求項４記載の石綿スレート板除去方法において、前記留め具の取り外し工程前に、前記石綿スレート板に水を噴霧する工程を有することを特徴とする石綿スレート板除去方法。
【発明の詳細な説明】
【技術分野】
【０００１】
本発明は、外装材や、屋根材として屋根本体に固定されている石綿スレート板、所謂アスベストを含有する板材が使用された建築物を解体、あるいは改装する際に、石綿スレート板の取り外し時に発生する人体に有害なアスベスト含有粉塵の撤去を効率的且つ確実に行うための石綿スレート板除去装置及び石綿スレート板除去方法に関する。
【背景技術】
【０００２】
従来からアスベストは、発癌性があるとされ、人体にとって極めて有害であるとされてきた。また、近年においては、人がアスベスト粉塵の発生する環境の中に長時間晒されることによって発癌したことの因果関係が示されている。このような事例を受けて、アスベストを使用している建築物の解体工事や、改装工事を行う際のアスベストや、アスベスト含有材の撤去作業には、非常に厳しい規制が課せられている。この規制には、発塵の度合による作業の種類によって３つのレベルが設けられている。そのレベルの最も高いレベル１は、耐火被膜用や、吸音、断熱用等として比較的大きい建築物のはり、柱、天井、壁等に吹付けられた石綿含有吹付け材の除去作業に適用されている。この除去作業は、作業場所の隔離や、高濃度の粉塵量に対応した防塵マスク、保護衣を使用しての厳重な暴露防止を行った上で行うこととなっている。次に高いレベル２は、保温用としてボイラ本体や配管、空調ダクト等、あるいは断熱用として煙突等に張り付けられた石綿を含有する保温材、断熱材、耐火被覆材等の比重が低く、レベル１よりは低いものの比較的発塵しやすい製品の除去作業に適用されている。この除去作業は、レベル１に準じた暴露防止を行った上で行うこととなっている。最も低いレベル３は、外装用として建築物の天井、壁、床等に張り付けられた石綿含有成形板や、あるいは屋根材用として屋根に張り付けられた石綿スレート板等の除去作業に適用されている。この石綿含有成形板や、石綿スレート板等は、固体化されて通常では発塵性が極めて低いものであるが、除去作業時の破砕、切断等においては発塵を伴うので、湿式作業が原則とされ、粉塵量のレベルに応じた防塵マスクを行った上で除去作業を行うこととなっている。
【０００３】
アスベストを使用している建築物の屋内の解体工事や、改装工事を行う際の撤去作業は、上記するようなレベル１の石綿含有吹付け材の除去や、レベル２の石綿を含有する保温材、断熱材、耐火被覆材等の比重が低く、発塵しやすい製品の除去の場合には、アスベストが容易に飛散しやすいので、当然において厳重な暴露防止を行った上で作業を行う必要がある。そこで、従来から、レベル１やレベル２に対応できる石綿含有吹付け材の除去装置には、建築物屋内の天井や、壁等に吹付けてある石綿含有吹付け材に被せて覆い込みをするフードと、フード内で石綿含有吹付け材を剥離する剥離手段と、剥離した石綿含有吹付け材をフード内から除去する吸引手段と、フード内の剥離作業を監視するテレビカメラを有する監視装置を備えたものが開示されている（例えば、特許文献１参照）。また、従来の、レベル１やレベル２に対応できる石綿含有吹付け材の除去装置には、石綿含有吹付け材の除去工具を備えるフードの内部周囲に配設された泡噴射ノズルから泡を噴出し、剥離された石綿含有吹付け材を混合すると共に、フードの周囲に配設した短冊状シール材の切り込み隙間を泡でシールするものが開示されている（例えば、特許文献２参照）。更には、従来の、レベル１やレベル２に対応できる石綿含有吹付け材の除去装置及び除去方法には、石綿含有吹付け材の飛散を防止しながら効率的な除去ができる除去装置及び除去方法が開示されている（例えば、特許文献３、特許文献４、特許文献５参照）。
【０００４】
また、従来の、屋根材用として屋根に張り付けられた石綿スレート板のようなレベル３の石綿スレート板の補修方法には、古い石綿スレート板を除去するのではなく、補強ボルトで固定した後、コーキング処理、下地調整及び屋根用塗料の塗装を施す方法が提案されている（例えば、特許文献６参照）。
【０００５】
【特許文献１】特許第３０４５０１１号公報
【特許文献２】特許第３５６７５５５号公報
【特許文献３】特開平８−１９９８３２号公報
【特許文献４】特開平９−７２１１１号公報
【特許文献５】特開平１０−３２３６１４号公報
【特許文献６】特開２００２−１８８２４８号公報
【発明の開示】
【発明が解決しようとする課題】
【０００６】
しかしながら、前述したような従来の石綿スレート板除去装置及び石綿スレート板除去方法は、次のような問題がある。
（１）屋根材用として屋根本体に固定されたアスベストを含有した石綿スレート板は、一時的にカバールーフ工法等で補修を施したとしても、処理の先送りとなるだけで、いずれ除去する必要があるが、逆に、次の改修時において乾燥、劣化が進行して飛散の危険性が増大することになる。
（２）アスベストを含有した石綿スレート板を用いた建築物は、一般住宅が多く、ビルや、工場や、倉庫等と異なり、大掛かりな機械除去装置を使っての撤去ができない上に、滑りやすい屋根上での作業となり、散水を施しながら作業を行うことで作業者の滑落の危険性を抱えている。
（３）一般住宅における散水を施しながらの屋根本体に固定されたアスベストを含有した石綿スレート板の除去は、居住している住宅内への漏水が発生し、居住性が維持できなくなる。また、散水によって流失したアスベスト含有材は、住宅内の壁面、敷地、樹木、排水施設等に付着して乾燥後の再飛散によって、二次的な人体への有害問題を引き起こす危険がある。
（４）アスベストを含有した石綿スレート板を用いた建築物の屋根頂部１ｍ程度上まで除去作業用の足場を全面防炎シートで覆うようにして除去作業を行う場合には、風圧による足場転倒の危険がある上に、除去費用の増大となっている。また、一般住宅では、足場の設置が不可能な場合があり、除去作業の対応が困難な場合がある。
【０００７】
本発明はかかる事情に鑑みてなされたものであって、一般住宅等の外装材や、屋根材として用いられている石綿スレート板の取り外し時の発塵を抑え、安全で効率的に作業を行うことができる安価な石綿スレート板除去装置及び石綿スレート板除去方法を提供することを目的とする。
【課題を解決するための手段】
【０００８】
前記目的に沿う本発明に係る石綿スレート板除去装置は、建築物の外装材や、屋根材として屋根本体に固定された石綿スレート板を取り外す時に発生する粉塵をフィルターを介して除塵できる吸塵機で吸塵しながら、石綿スレート板を固定している留め具を取り外し、屋根本体から石綿スレート板を剥離する石綿スレート板除去装置であって、吸塵機から延設される吸引ホースの先端部に取り付けられ、留め具が略中央部になるようにして椀型開口周縁部を石綿スレート板表面に当接できるフードを有し、フードの前方部に取り外し具を挿入させて留め具を取り外すための切り欠き部からなる吸込み口を有する。
【０００９】
ここで、上記の石綿スレート板除去装置は、フードが透明板からなるのがよい。
【００１０】
また、上記の石綿スレート板除去装置は、フード内で吸引ホースの先端部が留め具の近傍まで挿通自在からなるのがよい。
【００１１】
前記目的に沿う本発明に係る石綿スレート板除去方法は、建築物の外装材や、屋根材として屋根本体に固定されている石綿スレート板を固定している留め具の取り外し時に発生する粉塵を吸塵機で吸引しながら取り外すと共に、石綿スレート板と屋根本体の間の粉塵を吸塵機で吸引しながら石綿スレート板を屋根本体から剥離する石綿スレート板除去方法であって、吸塵機を屋根の上より隔離して設置すると共に、吸塵機より延設する吸引ホースの先端部に取り付けられたフードの椀型開口周縁部を留め具が略中央部になるようにして石綿スレート板表面に当接し、吸塵機を作動させながらフードの前方部に設ける切り欠き部からなる吸込み口に取り外し具を挿入させて留め具を取り外す工程と、吸塵機を作動させながらフードの椀型開口周縁部を隣接する石綿スレート板間に当接して石綿スレート板と屋根本体の間の粉塵を吸引して屋根本体から石綿スレート板を剥離する工程を有する。
【００１２】
ここで、上記の石綿スレート板除去方法は、留め具の取り外し工程前に、石綿スレート板に水を噴霧する工程を有するのがよい。
【発明の効果】
【００１３】
請求項１又はこれに従属する請求項２又は３のいずれか一項記載の石綿スレート板除去装置は、建築物の外装材や、屋根材として屋根本体に固定された石綿スレート板を取り外す時に発生する粉塵をフィルターを介して除塵できる吸塵機で吸塵しながら、石綿スレート板を固定している留め具を取り外し、屋根本体から石綿スレート板を剥離する石綿スレート板除去装置であって、吸塵機から延設される吸引ホースの先端部に取り付けられ、留め具が略中央部になるようにして椀型開口周縁部を石綿スレート板表面に当接できるフードを有し、フードの前方部に取り外し具を挿入させて留め具を取り外すための切り欠き部からなる吸込み口を有するので、除去処理の先送りを行う必要がなく、取扱いが容易で簡単な操作で留め具を取り外す時に発生する粉塵や、石綿スレート板と屋根本体の間の粉塵をフィルターを介して除塵できる装置であり、例えば、屋根から外れた安全な場所に設置する吸塵機から延設される吸引ホースを所望する場所に移動させて先端部に取り付けられるフードで吸塵でき、滑りやすい一般住宅の屋根での作業でも安全に作業を行うことができる。また、散水を施しながらの作業を必要としなくても、容易に粉塵を除塵できる装置であるので、散水による住宅内の居住性の破壊や、流失汚染水の乾燥後の再飛散による二次的な有害問題の発生を防止することができる。更に、全面防炎シートで覆うような足場を必要としなくても、吸塵機を設置するための僅かな足場程度の確保で何処でも確実に除去作業を行うことができる装置であり、安価な作業費用で、安全に作業を行うことができる。
【００１４】
特に、請求項２記載の石綿スレート板除去装置は、フードが透明板からなるので、フードの略中央部に留め具が来るようにフードを配置できると共に、取り外し具を留め具に容易に装着でき効率よく作業を行うことができる。また、フードの椀型開口周縁部をフードの外から観察でき、石綿スレート板に密着させるのが目視確認でき、粉塵の洩れ出しを確実に防止することができる。
【００１５】
また、特に、請求項３記載の石綿スレート板除去装置は、フード内で吸引ホースの先端部が留め具の近傍まで挿通自在からなるので、粉塵が発生する位置の近傍まで吸引ホースの先端部を延設させることができ、確実に粉塵を吸塵して除塵させることができる。
【００１６】
請求項４又はこれに従属する請求項５記載の石綿スレート板除去方法は、建築物の外装材や、屋根材として屋根本体に固定されている石綿スレート板を固定している留め具の取り外し時に発生する粉塵を吸塵機で吸引しながら取り外すと共に、石綿スレート板と屋根本体の間の粉塵を吸塵機で吸引しながら石綿スレート板を屋根本体から剥離する石綿スレート板除去方法であって、吸塵機を屋根の上より隔離して設置すると共に、吸塵機より延設する吸引ホースの先端部に取り付けられたフードの椀型開口周縁部を留め具が略中央部になるようにして石綿スレート板表面に当接し、吸塵機を作動させながらフードの前方部に設ける切り欠き部からなる吸込み口に取り外し具を挿入させて留め具を取り外す工程と、吸塵機を作動させながらフードの椀型開口周縁部を隣接する石綿スレート板間に当接して石綿スレート板と屋根本体の間の粉塵を吸引して屋根本体から石綿スレート板を剥離する工程を有するので、危険な屋根本体より離れた安全な場所に設置した吸塵機から延設する吸引ホースの先端部に取り付けられたフードで発生した粉塵を容易に除塵しながら留め具を取り外したり、屋根本体から石綿スレート板を剥離できる石綿スレート板除去方法を提供できる。
【００１７】
特に、請求項５記載の石綿スレート板除去方法は、留め具の取り外し工程前に、石綿スレート板に水を噴霧する工程を有するので、散水しながらの作業でなく、作業前に水を噴霧して屋根上がある程度乾燥しての作業となり、屋根上の滑りやすさが少なくなって作業者の滑落を防止できると共に、粉塵の飛散を確実に防止することができる石綿スレート板除去方法を提供できる。
【発明を実施するための最良の形態】
【００１８】
続いて、添付した図面を参照しつつ、本発明を具体化した場合の最良の形態について説明し、本発明の理解に供する。
ここに、図１は本発明の一実施の形態に係る石綿スレート板除去装置の説明図、図２（Ａ）、（Ｂ）はそれぞれ本発明の一実施の形態に係る石綿スレート板除去方法の説明図である。
【００１９】
図１に示すように、本発明の一実施の形態に係る石綿スレート板除去装置１０は、一般住宅や、倉庫等からなる建築物の外装材や、屋根材として屋根本体に留め具１１で固定されたアスベストを含有する石綿スレート板１２を屋根本体から取り外す時に用いられる装置である。この石綿スレート板除去装置１０は、石綿スレート板１２の取り外し時に発生する粉塵を、フィルターを介して除塵できる吸塵機１３で吸塵しながら留め具１１を取り外して石綿スレート板１２を屋根本体から剥離するのに用いることができる。留め具１１には、様々な形態のものがあるが、一般的には、石綿スレート板１２の上から屋根本体に打ち付ける固定用の釘や、螺子釘、あるいは、石綿スレート板１２を屋根本体に締め付けるボルトナット等が用いられている。
【００２０】
上記の石綿スレート板除去装置１０の吸塵機１３には、除塵にフィルターが用いられた、例えば、クリーンルーム用掃除機のようなものが適している。このクリーンルーム用掃除機からなる吸塵機１３は、吸入側に取り付けられて粉塵を直接捕集するメインフィルター１４が紙パック方式で、殆どの粉塵がこのメインフィルター１４で捕集できるようになっている。また、この吸塵機１３は、メインフィルター１４を交換する場合には、粉塵が捕集されたメインフィルター１４に一定量の水を噴霧、吸収させて粉塵の飛散の防止を施すことで、安全に交換を行うことができる。そして、交換し終わったメインフィルター１４は、そのままセメントモルタル等で封止固定化すれば、安全に廃棄処理を行うことができる。更に、この吸塵機１３は、排出側に取り付けられて、メインフィルター１４を通過した排気を、更に除塵してクリーンな空気を外に排出するためのクリーンフィルター１５を備えている。このクリーンフィルター１５は、容量が大きいので、寿命が長く交換頻度が少なくなっているが、交換を必要とする場合には、収納蓋部から水を噴霧し、メインフィルター１４の処理と同様な廃棄処理を行うことができる。
【００２１】
石綿スレート板除去装置１０は、留め具１１が略中央部になるようにして、椀型に開口するその周縁部を石綿スレート板１２の表面に当接させるさせるための金属板や、強化プラスチック板等からなるフード１６を有している。そして、このフード１６には、吸塵機１３の吸入側から延設して設けられている吸引ホース１７の先端部が取り付けられている。そして、更に、この吸引ホース１７の先端部には、吸引ホース１７の先端外周面から先端側に突出するブラシ１８を設けるのがよく、このブラシ１８によって、吸引しずらい粉塵に外力を与えることで吸引しやすくすることができる。また、この先端部には、吸引ホース１７に設けたブラシ１８の内側に吸引ホース１７の内径より小さく、留め具１１等が通過しない程度の内径からなる複数個の吸込みノズル（図示せず）を設けるのがよい。この先端部は、この吸込みノズルによって、留め具１１等の吸引を防止でき、吸塵機１３のメインフィルター１４の破壊を防止すると共に、破壊によって発生する粉塵の飛散を防止することができる。なお、この吸引ホース１７は、フード１６から延設して人が把持して操作できる部分までがパイプ状の剛体からなる吸引ホース１７ａで、吸引ホース１７ａから延設して吸塵機１３の吸入側までの部分までが蛇腹状のフレキシブルからなる吸引ホース１７ｂであるのがよい。また、吸引ホース１７は、８ｍ程度の長さにすることで、吸塵機１３を不安定で危険な屋根の上で移動させるようなことがなく、安全な場所に固定させて、吸引ホース１７のみの移動で安全に作業を行うことができるようになる。
【００２２】
この石綿スレート板除去装置１０のフード１６には、例えば、釘抜き具や、スパナ−等の取り外し具１９を挿入させて、留め具１１を屋根本体から取り外すためのフード１６の前方部に、椀型開口の一部を切り欠いて形成された切り欠き部２０からなる吸込み口２１を有している。なお、この吸込み口２１の大きさは、特に限定するものではないが、フード１６内に発生する粉塵を外部に飛散させることなく速やかに吸塵するために、取り外し具１９が挿入でき留め具１１の取り外しが可能な程度の大きさで、できるだけ小さくするのが好ましい。
【００２３】
上記の石綿スレート板除去装置１０は、フード１６が透明板からなるのがよい。透明なフード１６は、フード１６の内部が目視で確認できるので、石綿スレート板１２や、留め具１１の位置を的確に捉えて効率的に作業ができると共に、フード１６の椀型開口周縁部と石綿スレート板１２との隙間を少なくでき椀型開口からの粉塵の飛散を確実に防止することができる。
【００２４】
また、石綿スレート板除去装置１０は、フード１６の内部で吸引ホース１７の先端部が留め具１１の近傍まで挿通自在からなるのがよい。石綿スレート板１２から留め具１１を取り外す時には、できるだけ吸引ホース１７の先端部が留め具１１近傍にあることで、発生する粉塵の飛散を確実に防止することができる。
【００２５】
次いで、図２（Ａ）、（Ｂ）を参照しながら、本発明の一実施の形態に係る石綿スレート板除去方法を説明する。ここに、図２（Ａ）は本発明の一実施の形態に係る石綿スレート板除去方法の概念図、図２（Ｂ）は同石綿スレート板除去方法のＡ部拡大図である。
図２（Ａ）、（Ｂ）に示すように、本発明の一実施の形態に係る石綿スレート板除去方法は、一般住宅や、倉庫等からなる建築物の外装材や、屋根材として屋根本体２２に固定されているアスベストを含有する石綿スレート板１２を少なくとも二人の作業者が一体となって屋根本体２２から取り外す方法である。この作業では、二人の作業者が屋根本体２２に石綿スレート板１２を固定している固定釘等の留め具１１を取り外す時に発生する粉塵を吸塵機１３で吸引しながら取り外すと共に、石綿スレート板１２と屋根本体２２との間の粉塵を吸塵機１３で吸引しながら、石綿スレート板１２を屋根本体２２から剥離している。この除去方法での作業は、散水しながらの作業を必要としない上に、大掛かりな足場や、全面防炎シートでの覆い等を必要としないので、安全に作業ができると共に、作業コストを安価にすることができる。
【００２６】
上記の石綿スレート板除去方法においては、吸塵機１３本体を屋根の上より隔離して、例えば、比較的屋根に近い位置に立設する足場や、周りに足場を設定できない場合には、僅かなスペースに設ける櫓等の載置台２３上に設置している。これと共に、二人の作業者の内の一方の作業者は、石綿スレート板１２の表面に、吸塵機１３の吸入側より延設している吸引ホース１７の先端部に取り付けられたフード１６の椀型の開口周縁部を、石綿スレート板１２を固定している留め具１１が略中央部になるようにして当接している。そして、吸塵機１３を作動さながら、他方の作業者は、一方の作業者が石綿スレート板１２の表面に当接して固定させているフード１６の前方部に設ける切り欠き部２０からなる吸込み口２１に留め具１１を取り外すための釘抜き具等の取り外し具１９を挿入させて留め具１１を取り外している。
【００２７】
更に、この石綿スレート板除去方法においては、吸塵機１３を作動させながら、一方の作業者が隣接する石綿スレート板１２間に、フード１６の椀型の開口周縁部を当接させて、石綿スレート板１２と屋根本体２２の間に堆積している粉塵を吸引して屋根本体２２から石綿スレート板１２を剥離している。
【００２８】
上記の石綿スレート板除去方法においては、留め具１１を取り外す作業を行う前に、石綿スレート板１２に水を噴霧するのがよい。石綿スレート板１２には、作業前に水を含ませることで、留め具１１を取り外す時の発生粉塵が集合体となって、細かな粉塵の飛散を防止できると共に、水分を含んだ集合体の粉塵は容易に集塵機１３で吸引して除塵できる。また、水は、噴霧する程度の量であり、屋根本体２２から住宅内への漏水の発生がないので、室内２４の汚染の発生を防止できる。
【産業上の利用可能性】
【００２９】
本発明の石綿スレート板除去装置及び石綿スレート板除去方法は、アスベストを含有する石綿スレート板を用いた建築物からその石綿スレート板を除去するのに、散水しながらの作業を行わないで取り外すことができる除去装置及び除去方法として活用することができる。従って、この除去装置及び除去方法は、一般住宅や、倉庫等の建築物に用いられたアスベストを含有する外装材や、屋根材の除去に広く利用することができる。
【図面の簡単な説明】
【００３０】
【図１】本発明の一実施の形態に係る石綿スレート板除去装置の説明図である。
【図２】（Ａ）、（Ｂ）はそれぞれ本発明の一実施の形態に係る石綿スレート板除去方法の説明図、Ａ部拡大説明図である。
【符号の説明】
【００３１】
１０：石綿スレート板除去装置、１１：留め具、１２：石綿スレート板、１３：吸塵機、１４：メインフィルター、１５：クリーンフィルター、１６：フード、１７、１７ａ、１７ｂ：吸引ホース、１８：ブラシ、１９：取り外し具、２０：切り欠き部、２１：吸込み口、２２：屋根本体、２３：載置台、２４：室内
【図１】
2008255784.tif 000003
【図２】
2008255784.tif 000004